(57)【要約】      （修正有）【課題】除細動器の電極検査システムを提供する。【解決手段】除細動器１の電極検査システムであって、面どうしが向き合う検査配置にあり、キャパシタを形成する電極３と、電極に交流信号を送るように構成されたインピーダンス測定信号発生器７と、電極から電極検査用交流信号を受信し、電極検査用交流信号を処理して処理済み電極検査用交流信号を得るように構成されたインピーダンス測定信号プロセッサ１１と、インピーダンス測定信号プロセッサを電極検査状態とするように構成されるとともに、処理済み電極検査用交流信号を受信し、処理済み電極検査用交流信号を分析して電極検査用インピーダンス信号を取得し、電極検査用インピーダンス信号を分析して電極の合格状態または不合格状態を判定するように構成された除細動器プロセッサ１３とを備えた除細動器の電極検査システム。【選択図】図１
2018198933.tif 000002
【特許請求の範囲】
【請求項１】
除細動器の電極検査システムであって、
面どうしが向き合う検査配置にあり、キャパシタを形成する電極と、
前記電極に接続されたインピーダンス測定信号発生器であって、前記電極に交流信号を送るように構成されたインピーダンス測定信号発生器と、
前記電極に接続され、電極検査状態とすることができるインピーダンス測定信号プロセッサであって、前記電極から電極検査用交流信号を受信し、前記電極検査用交流信号を処理して処理済み電極検査用交流信号を得るように構成されたインピーダンス測定信号プロセッサと、
前記インピーダンス測定信号発生器および前記インピーダンス測定信号プロセッサに接続された除細動器プロセッサであって、前記インピーダンス測定信号プロセッサを電極検査状態とするように構成されるとともに、前記処理済み電極検査用交流信号を受信し、前記処理済み電極検査用交流信号を分析して電極検査用インピーダンス信号を取得し、前記電極検査用インピーダンス信号を分析して電極の合格状態または不合格状態を判定するように構成された除細動器プロセッサとを備えることを特徴とする除細動器の電極検査システム。
【請求項２】
請求項１に記載の除細動器の電極検査システムにおいて、
前記除細動器プロセッサが、少なくとも１の制御信号を前記インピーダンス測定信号発生器に送信し、それにより前記インピーダンス測定信号発生器から前記電極に交流信号を送信させるように構成されていることを特徴とする除細動器の電極検査システム。
【請求項３】
請求項１または２に記載の除細動器の電極検査システムにおいて、
前記除細動器プロセッサが、少なくとも１の制御信号を前記インピーダンス測定信号プロセッサに送信し、それにより前記インピーダンス測定信号プロセッサを電極検査状態とするように構成されていることを特徴とする除細動器の電極検査システム。
【請求項４】
請求項３に記載の除細動器の電極検査システムにおいて、
前記除細動器プロセッサが、少なくとも１の制御信号を前記インピーダンス測定信号プロセッサに送信し、それにより前記インピーダンス測定信号プロセッサの１またはそれ以上の特性を調整して前記インピーダンス測定信号プロセッサを電極検査状態とするように構成されていることを特徴とする除細動器の電極検査システム。
【請求項５】
請求項４に記載の除細動器の電極検査システムにおいて、
前記インピーダンス測定信号プロセッサが増幅器モジュールを備え、前記除細動器プロセッサが、少なくとも１の制御信号を前記インピーダンス測定信号プロセッサに送信し、それにより前記増幅器モジュールの１またはそれ以上の特性を調整して前記インピーダンス測定信号プロセッサを電極検査状態とするように構成されていることを特徴とする除細動器の電極検査システム。
【請求項６】
請求項５に記載の除細動器の電極検査システムにおいて、
前記除細動器プロセッサが、少なくとも１の制御信号を前記インピーダンス測定信号プロセッサに送信し、それにより前記増幅器モジュールの利得特性を調整して前記インピーダンス測定信号プロセッサを電極検査状態とするように構成されていることを特徴とする除細動器の電極検査システム。
【請求項７】
請求項４乃至６の何れか一項に記載の除細動器の電極検査システムにおいて、
前記インピーダンス測定信号プロセッサが信号調整モジュールを備え、前記除細動器プロセッサが、少なくとも１の制御信号を前記インピーダンス測定信号プロセッサに送信し、それにより前記信号調整モジュールの１またはそれ以上の特性を調整して前記インピーダンス測定信号プロセッサを電極検査状態とするように構成されていることを特徴とする除細動器の電極検査システム。
【請求項８】
請求項７に記載の除細動器の電極検査システムにおいて、
前記除細動器プロセッサが、少なくとも１の制御信号を前記インピーダンス測定信号プロセッサに送信し、それにより前記信号調整モジュールの１またはそれ以上の調整機能特性を調整して前記インピーダンス測定信号プロセッサを電極検査状態とするように構成されていることを特徴とする除細動器の電極検査システム。
【請求項９】
請求項９に記載の除細動器の電極検査システムにおいて、
前記信号調整モジュールは、フィルタリング、アナログ−デジタル変換、信号処理のうちの何れかを含む調整機能を実行するための調整機能特性を含むことを特徴とする除細動器の電極検査システム。
【請求項１０】
請求項４乃至９の何れか一項に記載の除細動器の電極検査システムにおいて、
前記インピーダンス測定信号プロセッサがメモリユニットを備え、前記除細動器プロセッサが、少なくとも１の制御信号を前記インピーダンス測定信号プロセッサに送信し、それにより前記メモリユニットに記憶される１またはそれ以上の制御特性を調整して、前記インピーダンス測定信号プロセッサを電極検査状態とするように構成されていることを特徴とする除細動器の電極検査システム。
【請求項１１】
請求項５または６を引用する請求項１０に記載の除細動器の電極検査システムにおいて、
前記除細動器プロセッサが、少なくとも１の制御信号を前記インピーダンス測定信号プロセッサに送信し、それにより、前記増幅器モジュールの１またはそれ以上の特性を調整する前記メモリユニットに記憶される１またはそれ以上の制御特性を調整して、前記インピーダンス測定信号プロセッサを電極検査状態とするように構成されていることを特徴とする除細動器の電極検査システム。
【請求項１２】
請求項７乃至９の何れか一項を引用する請求項１０に記載の除細動器の電極検査システムにおいて、
前記除細動器プロセッサが、少なくとも１の制御信号を前記インピーダンス測定信号プロセッサに送信し、それにより、前記信号調整モジュールの１またはそれ以上の特性を調整する前記メモリユニットに記憶される１またはそれ以上の制御特性を調整して、前記インピーダンス測定信号プロセッサを電極検査状態とするように構成されていることを特徴とする除細動器の電極検査システム。
【請求項１３】
請求項１乃至１２の何れか一項に記載の除細動器の電極検査システムにおいて、
各電極が、実質的に平面状であり、かつ面どうしが向き合う検査配置に置かれてキャパシタを形成する少なくとも１の面を含むことを特徴とする除細動器の電極検査システム。
【請求項１４】
請求項１乃至１３の何れか一項に記載の除細動器の電極検査システムにおいて、
各電極が、実質的に平面状であり、かつ第１の面および第２の面を含み、各電極の第１の面が、電極の誘電体ライナにより提供され、かつ面どうしが向き合う検査配置に置かれてキャパシタを形成することを特徴とする除細動器の電極検査システム。
【請求項１５】
請求項１４に記載の除細動器の電極検査システムにおいて、
電極の面どうしが向き合う検査配置における誘電体ライナ間の１またはそれ以上の空隙によって、更なる誘電体が提供されることを特徴とする除細動器の電極検査システム。
【請求項１６】
請求項１乃至１３の何れか一項に記載の除細動器の電極検査システムにおいて、
各電極が、実質的に平面状であり、かつ第１の面および第２の面を含み、各電極の第２の面が、電極の基板により提供され、かつ面どうしが向き合う検査配置に置かれてキャパシタを形成することを特徴とする除細動器の電極検査システム。
【請求項１７】
請求項１乃至１３の何れか一項に記載の除細動器の電極検査システムにおいて、
各電極が、実質的に平面状であり、かつ第１の面および第２の面を含み、第１の電極の第１の面が、電極の誘電体ライナにより提供され、第２の電極の第２の面が、電極の基板により提供され、第１の電極の第１の面および第２の電極の第２の面が、面どうしが向き合う検査配置に置かれてキャパシタを形成することを特徴とする除細動器の電極検査システム。
【請求項１８】
請求項１乃至１７の何れか一項に記載の除細動器の電極検査システムにおいて、
電極が、パウチ内で、面どうしが向き合う検査配置に置かれることを特徴とする除細動器の電極検査システム。
【請求項１９】
請求項１乃至１８の何れか一項に記載の除細動器の電極検査システムにおいて、
前記除細動器プロセッサは、電極検査用インピーダンス信号が予め設定された合格範囲内にある場合に合格状態を、電極検査用インピーダンス信号が前記予め設定された合格範囲を超えた場合に不合格状態を判定することを特徴とする除細動器の電極検査システム。
【請求項２０】
請求項１９に記載の除細動器の電極検査システムにおいて、
電極の接続性および電気的完全性が許容されるときの電極検査用インピーダンス信号の値の予測範囲を評価することによって、前記合格範囲が予め設定されることを特徴とする除細動器の電極検査システム。
【請求項２１】
請求項１９または２０に記載の除細動器の電極検査システムにおいて、
前記予め設定された合格範囲が、接続性および電気的完全性の様々な状態において除細動器の電極を検査することにより設定されることを特徴とする除細動器の電極検査システム。
【請求項２２】
請求項１乃至２１の何れか一項に記載の除細動器の電極検査システムにおいて、
電極が不合格状態にあるとき、開回路を示す信号が前記除細動器プロセッサによって受信されることを特徴とする除細動器の電極検査システム。
【請求項２３】
請求項１乃至２２の何れか一項に記載の除細動器の電極検査システムにおいて、
自動除細動器の自己検査プロセスの一部として電極検査が除細動器で行われることを特徴とする除細動器の電極検査システム。
【請求項２４】
請求項１乃至２３の何れか一項に記載の除細動器の電極検査システムにおいて、
電極検査の後、前記除細動器プロセッサが電極の合格状態を判定したときに、前記除細動器プロセッサが電極検査用インピーダンス信号をさらに分析して電極の大凡の年数を判定することを特徴とする除細動器の電極検査システム。
【請求項２５】
除細動器の電極を検査する方法であって、
面どうしが向き合う検査配置に電極を置いてキャパシタを形成するステップと、
インピーダンス測定信号発生器を使用して電極に交流信号を送信するステップと、
電極検査状態とすることができるインピーダンス測定信号プロセッサを使用して、電極から電極検査用交流信号を受信するとともに、電極検査用交流信号を処理して、処理済み電極検査用交流信号を得るステップと、
除細動器プロセッサを使用して、インピーダンス測定信号プロセッサを電極検査状態にするとともに、電極検査用交流信号を受信し、処理済み電極検査用交流信号を分析して電極検査用インピーダンス信号を取得し、この電極検査用インピーダンス信号を分析して電極の合格状態または不合格状態を判定するステップとを備えることを特徴とする方法。
【発明の詳細な説明】
【技術分野】
【０００１】
本発明は、除細動器の電極の検査に関し、特に、除細動器への電極の接続および電極の電気的完全性、すなわち電気信号を伝達する電極の能力の検査に関する。
【背景技術】
【０００２】
除細動器は、心停止の間に患者の心臓に「ショック」すなわち電気信号を供給するために使用される。心停止からの時間が増加するに連れてショックの有効性が著しく低下することが研究により示されている。したがって、可能な限り迅速に、除細動器を使用して患者の心臓に電気信号を印加することが重要である。このため、現在では、除細動器は病院だけでなく、様々な公共の場所で頻繁に使用されている。
【０００３】
除細動器の電極は、通常、それらを保護するためにポーチ内に収容されている。各電極は、除細動器のプラグに接続される接続ワイヤを有する。多くの場所では、除細動器を長時間使用することはできない。除細動器電極、接続ワイヤおよび除細動器プラグの接続性、並びに、除細動器電極の電気的完全性がそれらの期間に亘って維持されること、あるいは、それが損なわれた場合、その情報が除細動器の潜在的ユーザに利用可能とされることは、極めて重要である。これは、除細動器の技術または操作の経験が全く無いか、殆ど無い一般市民が除細動器を使用する場合に特に当てはまる。したがって、電極の接続性および完全性を検査することができる手段を除細動器に提供することが望ましい。
【発明の概要】
【０００４】
本発明の第１の態様によれば、除細動器の電極検査システムが提供され、このシステムが、
面どうしが向き合う検査配置（face-to-face test arrangement）にあり、キャパシタを形成する電極と、
電極に接続されたインピーダンス測定信号発生器であって、電極に交流信号を送るように構成されたインピーダンス測定信号発生器と、
電極に接続され、電極検査状態とすることができるインピーダンス測定信号プロセッサであって、電極から電極検査用交流信号を受信し、電極検査用交流信号を処理して処理済み電極検査用交流信号を得るように構成されたインピーダンス測定信号プロセッサと、
インピーダンス測定信号発生器およびインピーダンス測定信号プロセッサに接続された除細動器プロセッサであって、インピーダンス測定信号プロセッサを電極検査状態とするように構成されるとともに、処理済み電極検査用交流信号を受信し、処理済み電極検査用交流信号を分析して電極検査用インピーダンス信号を取得し、電極検査用インピーダンス信号を分析して電極の合格状態または不合格状態を判定するように構成された除細動器プロセッサとを備える。
【０００５】
除細動器プロセッサは、少なくとも１の制御信号をインピーダンス測定信号発生器に送信し、それによりインピーダンス測定信号発生器に、交流信号を電極へと送信させるように構成されるものであってもよい。
【０００６】
除細動器プロセッサは、少なくとも１の制御信号をインピーダンス測定信号プロセッサに送信し、それによりインピーダンス測定信号プロセッサを電極検査状態とするように構成されるものであってもよい。除細動器プロセッサは、少なくとも１の制御信号をインピーダンス測定信号プロセッサに送信し、それによりインピーダンス測定信号プロセッサの１またはそれ以上の特性を調整してインピーダンス測定信号プロセッサを電極検査状態とするように構成されるものであってもよい。
【０００７】
インピーダンス測定信号プロセッサは増幅器モジュールを備え、除細動器プロセッサは、少なくとも１の制御信号をインピーダンス測定信号プロセッサに送信し、それにより増幅器モジュールの１またはそれ以上の特性を調整してインピーダンス測定信号プロセッサを電極検査状態とするように構成されるものであってもよい。除細動器プロセッサは、少なくとも１の制御信号をインピーダンス測定信号プロセッサに送信し、それにより増幅器モジュールの利得特性を調整してインピーダンス測定信号プロセッサを電極検査状態とするように構成されるものであってもよい。
【０００８】
インピーダンス測定信号プロセッサは信号調整モジュールを備え、除細動器プロセッサは、少なくとも１の制御信号をインピーダンス測定信号プロセッサに送信し、それにより信号調整モジュールの１またはそれ以上の特性を調整してインピーダンス測定信号プロセッサを電極検査状態とするように構成されるものであってもよい。除細動器プロセッサは、少なくとも１の制御信号をインピーダンス測定信号プロセッサに送信し、それにより信号調整モジュールの１またはそれ以上の調整機能特性を調整してインピーダンス測定信号プロセッサを電極検査状態とするように構成されるものであってもよい。信号調整モジュールは、フィルタリング、アナログ−デジタル変換、信号処理のうちの何れかを含む調整機能を実行するための調整機能特性を含むことができる。
【０００９】
インピーダンス測定信号プロセッサはメモリユニットを備え、除細動器プロセッサは、少なくとも１の制御信号をインピーダンス測定信号プロセッサに送信し、それによりメモリユニットに記憶される１またはそれ以上の制御特性を調整して、インピーダンス測定信号プロセッサを電極検査状態とするように構成されるものであってもよい。除細動器プロセッサは、少なくとも１の制御信号をインピーダンス測定信号プロセッサに送信し、それにより、増幅器モジュールの１またはそれ以上の特性を調整するメモリユニットに記憶される１またはそれ以上の制御特性を調整して、インピーダンス測定信号プロセッサを電極検査状態とするように構成されるものであってもよい。除細動器プロセッサは、少なくとも１の制御信号をインピーダンス測定信号プロセッサに送信し、それにより、信号調整モジュールの１またはそれ以上の特性を調整するメモリユニットに記憶される１またはそれ以上の制御特性を調整して、インピーダンス測定信号プロセッサを電極検査状態とするように構成されるものであってもよい。
【００１０】
インピーダンス測定信号プロセッサの増幅器モジュールは、ハードウェアで実現することができる。インピーダンス測定信号プロセッサの信号調整モジュールは、ハードウェアで実現することができる。インピーダンス測定信号プロセッサの増幅器モジュールは、ソフトウェアで実現することができる。インピーダンス測定信号プロセッサの信号調整モジュールは、ソフトウェアで実現することができる。増幅器モジュールおよび信号調整モジュールは、別々のソフトウェアモジュールまたは同じソフトウェアモジュールで実現することができる。
【００１１】
各電極は、実質的に平面状であり、かつ少なくとも１の面を含むことができる。各電極の少なくとも１の面は、面どうしが向き合う検査配置に置かれてキャパシタを形成することができる。各電極は、実質的に平面状であり、かつ第１の面および第２の面を含むことができる。各電極の第１の面は、面どうしが向き合う検査配置に置かれてキャパシタを形成することができる。各電極の第１の面は、電極の誘電体ライナにより提供されるものであってもよい。電極の誘電体ライナは、電極の面どうしが向き合う検査配置において実質的に隣接して、キャパシタを形成することができる。電極の面どうしが向き合う検査配置における実質的に隣接する誘電体ライナ間の１またはそれ以上の空隙によって、更なる誘電体を提供することができる。
【００１２】
代替的には、各電極の第２の面が、面どうしが向き合う検査配置に置かれてキャパシタを形成することができる。各電極の第２の面は、電極の基板により提供されるものであってもよい。代替的には、第１の電極の第１の面および第２の電極の第２の面が、面どうしが向き合う検査配置に置かれてキャパシタを形成することができる。
【００１３】
第１の電極は、導体および誘電体ライナを備えることができ、第２の電極は、導体を備えることができる。第２の電極の導体は、電極の面どうしが向き合う検査配置において、第１の電極の誘電体ライナに実質的に隣接して、キャパシタを形成することができる。電極はそれぞれ導体を含むことができる。誘電体は、電極の面どうしが向き合う検査配置において、導体間に配置されて、キャパシタを形成することができる。
【００１４】
各電極は、第１の面および第２の面を有する基板と、基板の第２の面に取り付けられた第１の面と第２の面とを有する導体と、導体の第２の面に取り付けられた第１の面と第２の面とを有するゲル要素と、ゲル要素の第２の面に取り付けられた第１の面と第２の面とを有する誘電体ライナとを含むことができる。
【００１５】
基板は、プラスチック材料、特に実質的に透明なプラスチック材料を含むことができる。基板は発泡材料を含むことができる。
【００１６】
導体は、基板の第２の面に印刷されるものであってもよい。導体は、銀インクを含むことができる。導体は、スズを含むことができる。
【００１７】
誘電体ライナは、電極の使用時に除去される剥離ライナであってもよい。各電極の誘電体ライナは、互いに接合されるとともに、電極の面どうしが向き合う検査配置において、実質的に隣接するように折り畳まれるものであってもよい。
【００１８】
電極は、パウチ内で、面どうしが向き合う検査配置に置かれるものとしてもよい。
【００１９】
インピーダンス測定信号発生器は、予め設定された電圧で交流信号を生成するように構成することができる。交流信号は、正弦波、方形波のいずれかを含むことができる。交流信号は、約３０ｋＨｚ〜約６４ｋＨｚの範囲、好ましくは約３２ｋＨｚの周波数を有することができる。
【００２０】
除細動器プロセッサは、電極検査用インピーダンス信号が予め設定された合格範囲内にある場合に合格状態を、電極検査用インピーダンス信号が予め設定された合格範囲を超えた場合に不合格状態を判定するように構成されるものであってもよい。合格範囲は、電極の接続性および電気的完全性が許容されるときの電極検査用インピーダンス信号の値の予測範囲を評価することによって、予め設定することができる。予め設定された合格範囲は、約１ｋΩ〜約５ｋΩとすることができる。予め設定された合格範囲は、接続性および電気的完全性の様々な状態において除細動器の電極を検査することにより設定されるものであってもよい。予め設定された合格範囲は、異なるタイプの除細動器電極に対して異なることがある。電極が不合格状態にあるとき、開回路を示す信号が除細動器プロセッサによって受信されるようにしてもよい。
【００２１】
除細動器は、電極と、インピーダンス測定信号発生器と、インピーダンス測定信号プロセッサとの間に接続されて、それらが除細動器ショック信号を受信することを防止する保護回路を含むことができる。
【００２２】
自動除細動器の自己検査プロセスの一部として、電極検査を行うことができる。電極検査は、一定間隔で行うことができる。一定間隔は、１日に１回、週に１回、月に１回の何れかを含むことができる。電極検査は除細動器の電源投入時に行うことができる。電極検査は、患者にショックを与える前に行うようにしてもよい。電極検査は、除細動器の使用者による開始により、例えば除細動器のスイッチを作動させることにより、行うようにしてもよい。
【００２３】
電極検査の後、除細動器プロセッサが電極の合格状態を判定したときに、除細動器プロセッサが、電極検査用インピーダンス信号をさらに分析して電極の大凡の年数を判定するように構成することができる。
【００２４】
除細動器プロセッサは、電極検査用インピーダンス信号を電極検査用インピーダンス信号用の予め設定された範囲と比較して、電極の大凡の年数を判定することができる。予め設定された範囲は、例えば、約１年未満の年数の電極、約１年と約２年の間の年数の電極、約２年と約３年の間の年数の電極、約３年と約４年の間の年数の電極、約４年を超える年数の電極を示すことができる。電極が古くなるとそのゲルが乾燥して電極の容量が変化するため、電極の大凡の年数の判定が可能である。
【００２５】
除細動器は、電極合格状態または電極不合格状態を示すメッセージを発することができる。これは、可聴メッセージ、可視メッセージのいずれかを含むことができる。
【００２６】
本発明の第２の態様によれば、除細動器の電極を検査する方法が提供され、この方法が、
面どうしが向き合う検査配置に電極を置いてキャパシタを形成するステップと、
インピーダンス測定信号発生器を使用して電極に交流信号を送信するステップと、
電極検査状態とすることができるインピーダンス測定信号プロセッサを使用して、電極から電極検査用交流信号を受信するとともに、電極検査用交流信号を処理して、処理済み電極検査用交流信号を得るステップと、
除細動器プロセッサを使用して、インピーダンス測定信号プロセッサを電極検査状態にするとともに、電極検査用交流信号を受信し、処理済み電極検査用交流信号を分析して電極検査用インピーダンス信号を取得し、この電極検査用インピーダンス信号を分析して電極の合格状態または不合格状態を判定するステップとを備える。
【図面の簡単な説明】
【００２７】
本発明の一実施形態を、添付の図面を参照して、単なる例として以下に説明する。
【図１】図１は、本発明の第１の態様に係る除細動器の電極検査システムの概略図である。
【図２】図２は、図１の除細動器の電極の概略図である。
【発明を実施するための形態】
【００２８】
図１を参照すると、電極３、除細動信号発生器５、インピーダンス測定信号発生器７、保護回路９、インピーダンス測定信号プロセッサ１１および除細動器プロセッサ１３を含む除細動器１が示されている。
【００２９】
インピーダンス測定信号発生器７は、予め設定された電圧で交流信号を生成するように構成されている。交流信号は、正弦波または方形波を含み、約３０ｋＨｚ〜約６４ｋＨｚの範囲、好ましくは約３２ｋＨｚの周波数を有する。交流信号は、電極３に送信されて、電極３を検査するために使用される。同じ特性を有する信号は、電極３に接続された患者のインピーダンスの測定において、電極３に送信され得る。
【００３０】
保護回路９は、除細動器信号保護回路である。この保護回路は、それがなければインピーダンス測定信号発生器７およびインピーダンス測定信号プロセッサ１１に損傷を与える除細動器ショック信号を、それらが受信しないように保護すべく構成されている。
【００３１】
インピーダンス測定信号プロセッサ１１は、増幅器モジュール、信号調整モジュールおよびメモリユニット（図示省略）を備える。増幅器モジュールは、インピーダンス測定信号プロセッサ１１を電極検査状態とするように調整可能な利得特性を含む。信号調整モジュールは、インピーダンス測定信号プロセッサを電極検査状態とするように調整可能な、フィルタリング範囲、ＡＤＣサンプルレート、分解能などの調整機能特性を含む。信号調整モジュールは、少なくともフィルタリング、アナログ／デジタル変換および信号処理を含む調整機能を実行する。メモリユニットは、増幅器モジュールおよび信号調整モジュールの特性の調整のために調整可能な制御特性を記憶する。
【００３２】
本発明のこの実施形態では、インピーダンス測定信号プロセッサ１１の増幅器モジュールおよび信号調整モジュールがハードウェアにより実現される。
【００３３】
除細動器プロセッサ１３は、マイクロプロセッサを含む。除細動器プロセッサ１３は、インピーダンス測定信号発生器７に少なくとも１の制御信号を送信することにより、発生器７に交流信号を電極３へと送信させるように構成されている。除細動器プロセッサ１３はさらに、インピーダンス測定信号プロセッサ１１のメモリユニットに制御信号を送信することにより、インピーダンス測定信号プロセッサ１１のモジュールの特性の調整を制御するように構成されている。
【００３４】
この実施形態では、除細動器１は、除細動器の構成要素に電力を供給するバッテリ（図示省略）をさらに備える。除細動器１の様々な構成要素は、構成要素間で信号を送受信するために、図示のように互いに接続されている。なお、除細動器１の構成要素間に、図示されていないその他の接続部を設けることができることを理解されたい。
【００３５】
図２を参照すると、図１の除細動器１の各電極３は、実質的に平面状であり、基板４０、導体４２、ゲル要素４４および誘電体ライナ４６を含む。図示のように、基板４０は、第１の面および第２の面を有し、導体４２は、基板４０の第２の面に取り付けられた第１の面と、第２の面とを有し、ゲル要素４４は、導体４２の第２の面に取り付けられた第１の面と、第２の面とを有し、誘電体ライナ４６は、ゲル要素４４の第２の面に取り付けられた第１の面と、第２の面とを有する。
【００３６】
基板４０は、実質的に透明なプラスチック材料を含む。導体４２は、基板４０の第２の面上に印刷された銀インクを含む。電極の誘電体ライナ４６は、図示のように互いに接合され、折り曲げられている。誘電体ライナ４６は、電極３の使用時に除去される剥離ライナである。
【００３７】
電極３は、パウチ（図示省略）内に配置されている。各電極３は、電極を除細動器１のプラグに接続するために、コネクタスタッド５０および接続ワイヤ５２を含む。
【００３８】
この実施形態では、電極３はそれぞれ、導体４２と、折り畳まれた誘電体ライナ４６の形態の誘電体とを含む。各電極は、電極の誘電体ライナ４６によって提供される第１の面と、電極の基板４０によって提供される第２の面とを備える。誘電体ライナ４６の第２の面を含む各電極の第１の面は、面どうしが向き合う検査配置とされてキャパシタを形成する。電極３は、誘電体ライナ４６の一部が実質的に隣接する状態で、面どうしが向き合う検査配置とされて、キャパシタを形成する。別の誘電体が、電極の面どうしが向き合う検査配置において、実質的に隣接する誘電体ライナ４６の間の空隙４８の形態で設けられている。なお、空隙は、エアポケットによって置き換えることができ、あるいは存在しなくともよいことを理解されたい。また、電極の基板によって提供される各電極の第２の面は、面どうしが向き合う検査配置とされて、キャパシタを形成することができることを理解されたい。さらに、第１の電極の第１の面および第２の電極の第２の面が、面どうしが向き合う検査配置とされて、キャパシタを形成することができることを理解されたい。
【００３９】
除細動器１を使用して患者の心臓に除細動信号を印加するためには、電極３は適切な接続性および電気的完全性、すなわち電気信号を伝達する能力を備えていなければならない。これは、電極３に交流信号を印加し、電極３から電極検査用交流信号を受け取り、電極検査用交流信号を分析して電極検査用インピーダンス信号を取得し、電極検査用インピーダンス信号を処理して電極の合格状態または不合格状態を判定することによって、電極３を検査することで判定される。電極３の検査は、インピーダンス測定信号発生器７およびインピーダンス測定信号分析器１１、すなわち除細動器１に既に存在する機器を使用して行われる。
【００４０】
この実施形態では、電極検査が実施されるときに、電極３が、それらのポーチ内で、面どうしが向き合う検査配置にあり、キャパシタを形成する。
【００４１】
除細動器プロセッサ１３は、インピーダンス測定信号プロセッサ１１のメモリユニットに少なくとも１の制御信号を送信する。これにより、メモリユニットに記憶された１またはそれ以上の制御特性が調整または設定され、それによりインピーダンス測定信号プロセッサ１１が電極検査状態とされる。メモリユニットに記憶された１またはそれ以上の制御特性を調整することにより、増幅器モジュールの利得特性の調整および信号調整モジュールの調整機能特性の調整が行われ、それによりインピーダンス測定信号プロセッサ１１が電極検査状態とされる。
【００４２】
除細動器プロセッサ１３は、インピーダンス測定信号発生器７に少なくとも１の制御信号を送り、それにより、インピーダンス測定信号発生器に、正弦波または矩形波を含む、約３０ｋＨｚ〜約６４ｋＨｚの範囲、好ましくは約３２ｋＨｚの周波数を有する交流信号を予め設定された電圧で生成させる。交流信号は電極３に送信され、その交流電流は、それら電極がキャパシタを形成するとき、電極３を通過する。電極３は、交流信号の変化を生じさせるように機能し、それにより変化した、電極検査用交流信号と称する交流信号が、保護回路９に送られ、そしてインピーダンス測定信号プロセッサ１１に送られる。
【００４３】
インピーダンス測定信号プロセッサ１１の増幅器モジュールは、保護回路９を介して電極３から電極検査用交流信号を受信し、その信号を増幅し、インピーダンス測定信号プロセッサ１１の信号調整モジュールに伝える。信号調整モジュールは、増幅した電極検査用交流信号に対して、フィルタリングやアナログ−デジタル変換などの複数の調整機能を実行する。電極検査用交流信号は、除細動器プロセッサ１３に送られる。
【００４４】
除細動器プロセッサ１３は、インピーダンス測定信号プロセッサ１１から電極検査用交流信号を受信し、この電極検査用交流信号を分析して電極検査用インピーダンス信号を得る。次に、除細動器プロセッサ１３は、電極検査用インピーダンス信号を分析して、電極３の合否状態を判定する。電極３の合否状態を判定するために様々な方法を使用することができる。除細動器プロセッサ１３は、電極検査用インピーダンス信号が予め設定された合格範囲内にある場合は合格状態、電極検査用インピーダンス信号が予め設定された合格範囲を超える場合は不合格状態と判定することができる。合格範囲は、電極の接続性および電気的完全性が許容可能であるときの電極検査用インピーダンス信号の値の予測範囲を評価することによって予め設定されるものであってもよい。予め設定された合格範囲は、約１ｋΩ〜約５ｋΩとすることができる。電極３が不合格状態にあるとき、開回路を示す信号が除細動器プロセッサ１３によって受信されるようにしてもよい。
【００４５】
電極合格状態は、コネクタスタッド５０および接続ワイヤ５２を介した除細動器１のプラグまでの電極３の接続性が損なわれておらず、各電極３の電気的完全性が仕様内にあることを判定する。電極の不合格状態は、電極３の１またはそれ以上の不十分な接続性を示し得る。これは、例えば、電極、電極接続ワイヤおよび除細動器プラグの何れかの間の不適切な接続またはそれらのうちの何れかの故障に起因する可能性がある。電極の不合格の検査結果は、１またはそれ以上の電極の電気的完全性が不十分であることを示し得る。これは、例えば、電極断線と称される電極の１またはそれ以上のゲルの破壊、または、例えば不適切な保管による電極の１またはそれ以上の破損に起因する可能性がある。
【００４６】
電極検査の後、電極３の合格状態が判定されると、除細動器プロセッサ１３は、電極検査用インピーダンス信号をさらに処理して、電極３の大凡の年数を判定することができる。
【００４７】
除細動器１は、電極合格状態または電極不合格状態を示す、可聴メッセージおよび／または可視メッセージのようなメッセージを発すること、例えば、除細動器１に設けられた発光ダイオード（ＬＥＤ）インジケータのようなライトを起動させることができる。
【図１】
2018198933.tif 000003
【図２】
2018198933.tif 000004
【外国語明細書】
2018198933000001.pdf